(57)【特許請求の範囲】
【請求項１】
円弧状に彎曲する多数の金属製の壁エレメントが上下方向及び円周方向に接合されて組立てられた筒型コンテナーの内部に、この筒型コンテナーの内容積と同等もしくは若干大きい内容積を有する水密性の袋体が収容されたタンクであって、上記袋体は厚肉のディスク板と筒状の合成樹脂フィルムとから成り、この合成樹脂フィルムのギャザー状に折り畳まれて縮径された下端部がディスク板の外周面に周囲から締付けられて密着していることを特徴とする簡易組立タンク。
【請求項２】
合成樹脂フィルムのギャザー状に折り畳まれて縮径された下端部がディスク板の外周面に周囲から帯鋼で巻締めされ、この合成樹脂フィルムの下端部と帯鋼との間にゴムリングが挟まれていることを特徴とする請求項１に記載の簡易組立タンク。
【請求項３】
筒型コンテナーの上端開口部に、フレーム材と柔軟性のある不透明な被覆材とで構成された蓋体が脱着自在に被着されていることを特徴とする請求項１又は請求項２に記載の簡易組立タンク。
【請求項４】
筒型コンテナーがコンクリート製の基礎の上に設置固定されると共に、筒型コンテナーの内部の基礎の上に底部材が敷設され、この底部材の中央に形成されたディスク板嵌合部に袋体のディスク板が嵌合されてフラットなタンク底面が形成されていることを特徴とする請求項１ないし請求項３のいずれかに記載の簡易組立タンク。
【請求項５】
袋体のディスク板に形成された接続口に取水管が接続され、この取水管が基礎の内部を通ってタンク外へ突き出すと共に、この突き出した取水管の先端に開閉部材が取付けられていることを特徴とする請求項４に記載の簡易組立タンク。
【請求項６】
取水管の突き出した部分に、上端が筒型コンテナーの上端近くまで達する立上がり管が接続されると共に、この立上がり管の上端にオーバーフロー管が接続されていることを特徴とする請求項５に記載の簡易組立タンク。
【請求項７】
立上がり管の管壁に縦方向の帯状の透明部が形成され、この立上がり管に略２／３円弧状の断面形状を有する不透明なカバー体が回動自在に外嵌着されて、帯状の透明部が覆われていることを特徴とする請求項６に記載の簡易組立タンク。
【発明の詳細な説明】
【０００１】
【発明の属する技術分野】
本発明は、家屋や農園芸用ハウスの屋根に降った雨水を貯溜するのに適した比較的大型の簡易組立タンクに関する。
【０００２】
【従来の技術】
従来より、植物の溶液栽培や灌水には地下水が多用されており、また、夏季の屋根散水（冷却のための散水）にも地下水が多用されている。
【０００３】
しかしながら、地下水には多量の塩分や化学肥料などが含まれることがあり、そのような地下水を溶液栽培や灌水に用いると、植物に悪影響を与えたり、肥料設計がうまくいかないという問題がある。かといって、水道水を利用するとコストが高くなり、しかも、多量の塩素が含まれるので植物にはあまり良くないという問題がある。
【０００４】
これに対し、雨水は塩分、化学肥料、塩素などを含まないので、植物栽培用水としては最適であり、近年、この雨水をタンクに貯溜して植物栽培や灌水、屋根散水などに有効利用する試みがなされている。
【０００５】
このような雨水貯溜用のタンクとして、本出願人は、組立が簡単で安価に施工できる簡易組立タンクを先に提案した（特願平１１−９１５８０号）。この簡易組立タンクは、円弧状に彎曲する多数の金属製の壁エレメントを上下方向及び円周方向に接合して組立てた筒型コンテナーの内部に、この筒型コンテナーの内容積と同等もしくは若干大きい内容積を有する水密性の袋体を収容し、この袋体に雨水を貯溜するようにしたものである。
【０００６】
袋体としては、筒型コンテナーの直径が１ｍ以下と比較的小さいタンクの場合、図１５，図１６に示すような構造の袋体が使用される。即ち、この袋体は筒状の合成樹脂フィルム１０１の下端開口部に比較的厚手の合成樹脂円形シート１０２を配置して、その下方に折曲げたシート周縁部１０２ａを合成樹脂フィルム１０１の下端に熱融着すると共に、合成樹脂製の取水口部材１０３を合成樹脂円形シート１０２に熱融着して、取水管（不図示）を接続できるようにしたものである。
【０００７】
【発明が解決しようとする課題】
しかしながら、上記のような構造の袋体は、その直径が１ｍ以下と小さい場合には比較的簡単に製作できるが、直径が２〜３ｍ以上の大きい袋体になると、そのような大径の合成樹脂円形シート１０２を造ることが容易でないため、袋体の製作が困難になり、たとえ大径の合成樹脂円形シート１０２を造ったとしても、そのシート周縁部１０２ａを筒状の合成樹脂フィルム１０１の下端に融着不良箇所が生じないように完全に熱融着することが難しいため、水洩れする恐れがあった。従って、上記の袋体を収容した組立タンクは、袋体の製作面や信頼性の面で問題があった。
【０００８】
本発明は上記問題を解決すべくなされたもので、水漏れの恐れがなく、サイズが大きくても容易に作製できる袋体を収容した簡易組立タンクの提供を目的としている。
【０００９】
【課題を解決するための手段】
前記目的を達成するため、本発明の請求項１に係る簡易組立タンクは、円弧状に彎曲する多数の金属製の壁エレメントが上下方向及び円周方向に接合されて組立てられた筒型コンテナーの内部に、この筒型コンテナーの内容積と同等もしくは若干大きい内容積を有する水密性の袋体が収容されたタンクであって、上記袋体は厚肉のディスク板と筒状の合成樹脂フィルムとから成り、この合成樹脂フィルムのギャザー状に折り畳まれて縮径された下端部がディスク板の外周面に周囲から締付けられて密着していることを特徴とするものである。
【００１０】
この簡易組立タンクは、筒型コンテナーの内部に収容されている袋体が厚肉のディスク板と筒状の合成樹脂フィルムとから成るもので、該フィルムの下端部がギャザー状に折り畳まれて縮径されると共に、ディスク板の外周面に周囲から締付けられて密着した構造を有するため、ディスク板の外周面と合成樹脂フィルムの下端部との間から水洩れを生じる心配がない。しかも、このような構造の袋体は、サイズが大きいものを製作する場合でも、同じディスク板を使用し、筒径が大きい筒状合成樹脂フィルムの下端部を該ディスク板の直径と実質同一の開口径となるようにギャザー状に折り畳んで縮径し、この縮径した下端部をディスク板の外周面に周囲から締付けて密着させればよく、大きい直径のディスク板を別途準備する必要がないので、製作が容易である。
【００１１】
次に、本発明の請求項２に係る簡易組立タンクは、上記請求項１のタンクにおいて、合成樹脂フィルムのギャザー状に折り畳まれて縮径された下端部がディスク板の外周面に周囲から帯鋼で巻締めされ、この合成樹脂フィルムの下端部と帯鋼との間にゴムリングが挟まれていることを特徴とするものである。
【００１２】
この簡易組立タンクのように、合成樹脂フィルムの下端部を帯鋼で巻締めすると、合成樹脂フィルムの下端部がディスク板の外周面に強く密着するため水密性が一層向上し、しかも、ゴムリングを挟むことによって、帯鋼が合成樹脂フィルムの下端部に直接当たらないようにしてあるため、合成樹脂フィルムの下端部が帯鋼と摩擦して破損する心配もない。
【００１３】
次に、本発明の請求項３に係る簡易組立タンクは、上記請求項１又は２のタンクにおいて、筒型コンテナーの上端開口部に、フレーム材と柔軟性のある不透明な被覆材とで構成された蓋体が脱着自在に被着されていることを特徴とするものである。
【００１４】
このタンクは、蓋体によって光が筒型コンテナーに入らないよう遮断されるため、コンテナー内部の袋体に貯溜された雨水に藻類が発生するのを防止することができる。
【００１５】
次に、本発明の請求項４に係る簡易組立タンクは、上記請求項１〜３のいずれかのタンクにおいて、筒型コンテナーがコンクリート製の基礎の上に設置固定されると共に、筒型コンテナーの内部の基礎の上に底部材が敷設され、この底部材の中央に形成されたディスク板嵌合部に袋体のディスク板が嵌合されてフラットなタンク底面が形成されていることを特徴とするものである。
【００１６】
タンク底面に凹凸や突起があると、袋体に貯溜される雨水の圧力によって袋体の合成樹脂フィルムが破損する心配があるが、この簡易組立タンクのように底部材のディスク板嵌合部に袋体のディスク板を嵌合してフラットなタンク底面を形成してあると、袋体の合成樹脂フィルムが破損するのを防止することができる。
【００１７】
次に、本発明の請求項５に係る簡易組立タンクは、上記請求項４のタンクにおいて、袋体のディスク板に形成された接続口に取水管が接続され、この取水管が基礎の内部を通ってタンク外へ突き出すと共に、この突き出した取水管の先端に開閉部材が取付けられていることを特徴とするものである。
【００１８】
この簡易組立タンクのように、袋体のディスク板に接続口を形成して取水管を接続すると、従来の組立タンクように袋体の合成樹脂円形シート１０２に取水口部材１０３を熱融着して取水管を接続する場合に比べて、取水管の取付強度が向上するという利点がある。しかも、この取水管は基礎の内部を通っているので、水圧等により破損する心配がなく、その先端の開閉部材を開けば、袋体に貯溜された雨水を取出すことができる。
【００１９】
次に、本発明の請求項６に係る簡易組立タンクは、上記請求項５のタンクにおいて、取水管の突き出した部分に、上端が筒型コンテナーの上端近くまで達する立上がり管が接続されると共に、この立上がり管の上端にオーバーフロー管が接続されていることを特徴とするものである。
【００２０】
この簡易組立タンクでは、袋体に貯溜される雨水の水位が上昇して立上がり管の上端を越えると、雨水がオーバーフロー管へオーバーフローして排水されるため、袋体に貯溜される雨水が筒型コンテナーの上端から外部へ溢れ出す心配がなくなる。
【００２１】
次に、本発明の請求項７に係る簡易組立タンクは、上記請求項６のタンクにおいて、立上がり管の管壁に縦方向の帯状の透明部が形成され、この立上がり管に略２／３円弧状の断面形状を有する不透明なカバー体が回動自在に外嵌着されて、帯状の透明部が覆われていることを特徴とするものである。
【００２２】
この簡易組立タンクは、不透明なカバー体を回動させることによって立上がり管の帯状の透明部を露出させると、該透明部を通じて水位を見ることができ、その後、カバー体を回動させて再び立上がり管の帯状の透明部を覆うと、光が該透明部を通して立上がり管内の雨水に当たることがないため、雨水に藻類が発生するのを防止することができる。
【００２３】
【発明の実施の形態】
以下、図面を参照して本発明の具体的な実施形態を詳述する。
【００２４】
図１は本発明の一実施形態に係る簡易組立タンクを示す斜視図、図２は同タンクの断面図、図３（ａ）は同タンクの筒型コンテナーに用いる壁エレメントの斜視図、図３（ｂ）は同筒型コンテナーに用いる最下段の壁エレメントの斜視図、図４は同壁エレメントの端部拡大斜視図、図５は同筒型コンテナーにおける壁エレメントの円周方向の接合部分の拡大断面図、図６は同筒型コンテナーにおける壁エレメントの上下方向の接合部分の拡大断面図であって、（ａ）は内側へ折曲加工する前の状態を、（ｂ）は内側ヘ折曲加工した後の状態を示すものである。また、図７は同タンクに収容される袋体の概略断面図、図８は同袋体の底部の斜視図、図９は同袋体の合成樹脂フィルムの下端部の折り畳み状態を示す断面図、図１０は同袋体の合成樹脂フィルムの下端部をディスク板に取付ける手順の説明図、図１１は同袋体のディスク板と取水管の接続部分を示す拡大断面図、図１２は同袋体の合成樹脂フィルム上端部の取付状態を示す説明図、図１３は立上がり管とそのカバー体を示す部分斜視図、図１４はカバー体を外嵌着した立上がり管の断面図で、（ａ）は立上がり管の透明部をカバー体で覆った状態を、（ｂ）はカバー体を回動させて立上がり管の透明部を露出させた状態を示すものである。
【００２５】
図１，図２において、１はコンクリート製の基礎であり、この基礎１の上には筒型コンテナー２が設置固定されている。そして、この筒型コンテナー２の内部には水密性の袋体３が収容され、蓋体４が筒型コンテナーの上端開口部に脱着可能に被着されている。
【００２６】
上記の筒型コンテナー２は、図３（ａ）に示す円弧状に彎曲した金属製の壁エレメント２０を上下方向に接合すると共に、円周方向に接合して組立てられたものであって、該コンテナー２の最下段には図３（ｂ）に示す壁エレメント２１が使用されている。
【００２７】
この図３（ａ）に示す壁エレメント２０は、円周を３分割した円弧状に彎曲する金属板の上端と下端を外側へ直角に折り曲げて、上端フランジ部２０ａと下端フランジ部２０ｂをそれぞれ形成すると共に、これらフランジ部２０ａ，２０ｂの先端を更に下方へ直角に折り曲げて、上下寸法の短い垂下縁２０ｃを上端フランジ部２０ａの先端に、該垂下縁２０ｃよりも上下寸法の長い垂下縁２０ｄを下端フランジ部２０ｂの先端にそれぞれ形成したものであり、図３（ａ）及び図４に示すように、壁エレメント２０の左右両端には外側へコ字状に折返したコ字状折返し部２０ｅが形成されて、このコ字状折返し部２０ｅに断面略Ｃ字形の接合部材５の端縁５ａが係合されるようになっている。かかる壁エレメント２０は、好ましくは０．４〜１ｍｍ程度の厚さを有する亜鉛鋼板、アルミニウムメッキ鋼板、ステンレス板などを上記のように曲げ加工して作製される。
【００２８】
この壁エレメント２０の具体的な寸法は特に限定されるものでなく、組立てようとする筒型コンテナー２の大きさや壁エレメントの重量などを考慮して適宜決定すればよいが、筒型コンテナー２は直径が３〜５ｍ程度の大きさのものが適当であるから、壁エレメント２０の曲率半径は１．５〜２．５ｍ程度に設定することが望ましく、上下寸法は２０〜５０ｃｍ程度に設定することが望ましい。
【００２９】
また、筒型コンテナー２の最下段に用いられる図３（ｂ）の壁エレメント２１は、図３（ａ）の壁エレメント２０と同様に、曲げ加工によって、上端フランジ部２１ａと、その先端の上下寸法の短い垂下縁２１ｃと、幅広の下端フランジ部２１ｂと、左右両端のコ字状折返し部２１ｅを形成したものであるが、下端フランジ部２１ｂの先端に垂下縁が形成されていない点で、図３（ａ）の壁エレメント２０と異なっている。
【００３０】
上記の壁エレメント２０の上下方向の接合は、図６（ａ）に示すように、上側に位置する壁エレメント２０の下端フランジ部２０ｂを、下側に位置する壁エレメント２０の上端フランジ部２０ａに重ねて、この下端フランジ部２０ｂの垂下縁２０ｄの下部を、上端フランジ部２０ａの垂下縁２０ｃが抱き込まれるように上向きに折り返すと共に、更に、図６（ｂ）に示すように内側へ折り曲げてかしめることにより行われている。そして、この壁エレメント２０と最下段の壁エレメント２１も、上記と同様にして上下方向に接合されている。
【００３１】
また、上記の壁エレメント２０の円周方向の接合は、図５に示すように、円周方向に隣接する双方の壁エレメント２０，２０のコ字状折返し部２０ｅ，２０ｅに、前述した断面略Ｃ字状の接合部材５の端縁５ａ，５ａを係合させて該係合部をかしめるか、又は、該係合部を接着剤で接着固定することによって行われている。そして、最下段の壁エレメント２１の円周方向の接合も同様に行われている。
【００３２】
上記のように、この筒型コンテナー２は、壁エレメント２０，２１を互いに水密的に溶接しないで、上端フランジ部２０ａと下端フランジ部２０ｂのそれぞれの垂下縁２０ｃ，２０ｄを折曲加工すると同時に、接合部材５を用いてコ字状折返し部２０ｅ，２０ｅを連結固定するだけの簡単な作業によって、壁エレメント２０，２１を上下方向と円周方向に接合して組立てるものであるから、溶接する場合に比べると短時間で安価に組立てることができる。しかも、壁エレメント２０，２１は３分割された円弧状に彎曲するものであるから、３リンク機構と同様に変形不能に静定し、筒型コンテナーの形状を保持することができる。
【００３３】
上記の筒型コンテナー２は、図１に示すように、最下段の壁エレメント２１の下端フランジ部２１ｂをアンカーボルト７ａとナット７ｂで数箇所固定してコンクリート製の基礎１の上に設置されているため、台風がきたり地震が発生しても筒型コンテナー２が転倒する心配はない。
【００３４】
また、上記の筒型コンテナー２の上端開口部には、帆布地などの柔軟性のある軽量かつ強靱な不透明の被覆材４ａをフレーム材４ｂ（骨組み）に張設して構成された陣笠形状の蓋体４が被せられ、その周縁部が止具８によって筒型コンテナー２の最上段の壁エレメント２０の上端フランジ部２０ａに脱着可能に取付けられている。従って、この蓋体４によって光が筒型コンテナー２に入らないよう遮断されるため、コンテナー２内部の袋体３に貯溜された雨水に藻類が発生するのを防止することができ、また、ゴミ等が袋体３に入って雨水を汚す心配もない。
【００３５】
上記の筒型コンテナー２に収容される袋体３は、図７に示すように、筒状の合成樹脂フィルム３ａと厚肉のディスク板３ｂとから成るものである。合成樹脂フィルム３ａは、柔軟性と引裂き強度の大きいものであれば使用可能であり、例えば、ポリエチレン、ポリプロピレン、ナイロン等の筒状のインフレーションフィルム（厚さ０．０５〜０．３ｍｍ程度のもの）や各種樹脂の積層フィルム、補強用の網入りフィルムなどが好ましく使用される。
【００３６】
また、ディスク板３ｂとしては、木材、金属、硬質合成樹脂等で成形された厚さが３〜７ｃｍ程度、直径が５０〜１２０ｃｍ程度の円形ディスク板や、厚さが１〜２ｃｍ程度で外周部の厚さのみを３〜７ｃｍ程度にした円形ディスク板などが好ましく使用される。ディスク板３ｂの厚さが厚くなり、径が大きくなると、重量が著しく増大して取扱いが困難になるため、中心部の不要な部分は削り落として軽量化することが重要である。
【００３７】
この袋体３を構成する筒状の合成樹脂フィルム３ａは、図８，図９に示すように、その下端部３ｃがギャザー状に折り畳まれて縮径されている。そして、図１０（ａ）に示すように、この縮径された合成樹脂フィルム３ａの下端部３ｃの内側に上記の円形ディスク板３ｂが嵌め込まれ、図１０（ｂ）に示すように、ゴムリング３ｄを挟んで周囲から帯鋼３ｅで巻締めされ、図１０（ｃ）に示すように、ゴムリング３ｄの上半部が帯鋼３ｅの外側へ折り返された状態で、合成樹脂フィルム３ａの縮径された下端部３ｃが円形ディスク板３ｂの外周面に強く密着している。
【００３８】
従って、この袋体３は、円形ディスク板３ｂの外周面と合成樹脂フィルムの下端部３ｃとの間から水洩れを生じる心配がなく、また、ゴムリング３ｄによって帯鋼３ｅが合成樹脂フィルムの下端部３ｃに直接当らないようにしてあるため、合成樹脂フィルム３ａの下端部３ｃが帯鋼３ｅと摩擦して破損する心配もない。
【００３９】
また、上記のような構造の袋体３は、サイズが大きいものを製作する場合でも、同じディスク板３ｂを使用し、筒径が大きい筒状合成樹脂フィルム３ａの下端部３ｃを該ディスク板３ｂの直径と実質同一の開口径となるようにギャザー状に折り畳んで縮径し、この縮径した下端部３ｃをディスク板３ｂの外周面に周囲からゴムリング３ｄを介して帯鋼３ｅで締付けて密着させればよく、このように大きい直径のディスク板を別途準備する必要がないので、製作が容易である。
【００４０】
この袋体３は、筒型コンテナー２の内容積と同等もしくは若干大きい内容積を有することが必要である。袋体３の内容積が筒形コンテナー２の内容積より小さい場合は、貯溜される雨水の圧力を袋体３の合成樹脂フィルム３ａが直接受けるため、合成樹脂フィルム３ａの破裂を招くことになるが、上記のように袋体３の内容積がコンテナー２の内容積と同等もしくはそれより若干大きい場合は、袋体３の合成樹脂フィルム３ａが筒型コンテナー２に当接し、水圧が袋体３を介して筒型コンテナー２にかかることになるので、水圧によって袋体３の合成樹脂フィルム３ａが破裂する恐れは無くなる。尚、筒型コンテナー２の内面に尖った突起が存在すると、袋体３の合成樹脂フィルム３ａが破損する心配はあるが、この筒型コンテナー２の内面には突起がないので、その心配は無用である。
【００４１】
この袋体３の上端、つまり筒状の合成樹脂フィルム３ａの上端は、図１２に示すように、筒型コンテナー２の上端のフランジ部２０ａに巻き掛けられ、その上からパッカー３１を嵌合することによって取付けられている。
【００４２】
そして、この袋体３には、図２に示すように、家屋や農園芸用ハウスの屋根に降った雨水を導入する導水パイプ１１が蓋体４を貫通して上方から挿入されており、この導水パイプ１１の下端に軟質のチューブ又はホース１１ａが接続されている。このチューブ又はホース１１ａの下部は彎曲して袋体３の底に接触している。
【００４３】
上記のように導水パイプ１１に接続されたチューブ又はホース１１ａの下部が彎曲して袋体３の底に接触していると、雨水がチューブ又はホース１１ａの先端から袋体３の内部へ横向きに静かに導入されるため、導水パイプ１１のみの場合のように雨水が勢い良く落下してコンテナー２に振動を与えたり袋体３を傷付ける心配がなくなる。
【００４４】
図２に示すように、筒型コンテナー２の内部の基礎１の上には底部材９が敷設され、この底部材９の中央に形成されたディスク板嵌合部に上記袋体３のディスク板３ｂが嵌合されてフラットなタンク底面が形成されている。底部材９としては合成樹脂発泡体やゴム発泡体などが適しており、好ましくは、その上面に不織布（不図示）等が重ねられる。このようにフラットなタンク底面が形成されていると、合成樹脂フィルム３ａのギャザー状に折り畳まれた下端部３ｃが貯溜雨水の大きい水圧を受けても破損する心配はない。従って、このタンクは、袋体３の合成樹脂フィルム３ａの破損、破裂による漏水が皆無に等しいものである。
【００４５】
図１０、図１１に示すように、この袋体３の底部のディスク板３ｂには、取水管１２を接続するための接続口３ｆが形成され、この接続口３ｆの上端開口縁には坐繰部３ｇが形成されている。そして、この接続口３ｆに、取水管１２のネジ部が形成された縦短管１２ａを下方から挿通すると共に、パッキン１２ｂ，１２ｂを介して該ネジ部に螺合されたナット１２ｃ，１２ｃで上下から締付けることにより、縦短管１２ａの上端や上側の締付ナット１２ｃがディスク板３ｂの上面から突出しない状態で取水管１２の縦短管１２ａが水密的に接続されている。このような接続構造にすると、従来の接続口部材１０３に取水管を接続する場合に比べて、取水管をしっかりと接続できる利点がある。
【００４６】
この取水管１２は、図２に示すように基礎１の内部を通ってタンク外へ突き出し、この突き出した取水管１２の先端に開閉部材として蛇口１３が取付けられている。このように取水管１２が基礎１の内部を通っていると、水圧等によって取水管１２が破損する恐れがなく、その先端の蛇口１３を開くことによって、袋体３に貯溜された雨水をいつでも取出すことができる。
【００４７】
図１、図２に示すように、取水管１２の突き出した部分には、上端が筒型コンテナー２の上端近くまで達する立上がり管１４が接続されており、この立上がり管１４の上端にオーバーフロー管１５が接続されて垂れ下がっている。従って、袋体３に貯溜される雨水の水位が上昇して立上がり管１４の上端を越えると、雨水がこの立上がり管１４からオーバーフロー管１５へオーバーフローして排水されるため、袋体３に貯溜される雨水が筒型コンテナー２の上端から外部へ溢れ出すことはない。オーバーフロー管１５としては、可撓性のあるチューブやホースが好ましく使用される。なお、１７は立上がり管１４が倒れないように保持する固定用アームである。
【００４８】
上記立上がり管１４の管壁には、図１３に示すように縦方向の帯状の透明部１４ａが形成されている。そして、この立上がり管１４には、図１３に示すような略２／３円弧状の断面形状を有する不透明なカバー体１６が回動自在に外嵌着され、図１４（ａ）示すように該カバー体１６によって立上がり管１４の帯状の透明部１４ａが覆われている。従って、このカバー体１６を回動させて図１４に（ｂ）に示すように立上がり管１４の帯状の透明部１４ａを露出させると、該透明部１４ａを通じてタンク内の水位を見ることができ、その後、カバー体１６を回動させて再び図１４（ａ）に示すように立上がり管１４の帯状の透明部１４ａを覆うと、光が該透明部１４ａを通して立上がり管１４内の雨水に当たることがないため、雨水に藻類が発生するのを防止できるようになっている。
【００４９】
以上、好ましい実施形態の簡易組立タンクについて説明したが、本発明はこの実施形態に限定されるものではなく、例えば、立上がり管１４として、帯状の透明部の形成されていないパイプを使用したり、厚い底部材９を基礎１の上に敷設して該底部材９の内部に取水管１２を配管するなど、種々の設計的変更を許容し得るものである。
【００５０】
【発明の効果】
本発明の簡易組立タンクは、簡単な組立作業で筒型コンテナーを組立てることができ、その内部に収容される袋体はサイズの大きいものでも製作が簡単で、しかも水密性に優れるため漏水の心配なく雨水を貯溜することができ、この雨水は取水管の先端の開閉部材を開けばいつでも利用可能であり、特に、フラットなタンク底面を形成したタンクは袋体の破損を招くことがなく、また、立上がり管を設けてオーバーフロー管を接続したタンクは、筒型コンテナーの上端から雨水が溢れ出すことがなく、更に、不透明な蓋体を筒型コンテナーに被着すると共に立上がり管に帯状の透明部を形成して回動自在なカバー体で覆ったタンクは、藻類の発生を防止できるだけでなく貯溜雨水の水位を知ることができるなど、多くの効果を奏する。
【図面の簡単な説明】
【図１】本発明の一実施形態に係る簡易組立タンクを示す斜視図である。
【図２】同タンクの断面図である。
【図３】（ａ）は同タンクの筒型コンテナーに用いる壁エレメントの斜視図であり、（ｂ）は同筒型コンテナーに用いる最下段の壁エレメントの斜視図である。
【図４】同壁エレメントの端部拡大斜視図である。
【図５】同筒型コンテナーにおける壁エレメントの円周方向の接続部分の拡大断面図である。
【図６】同筒型コンテナーにおける壁エレメントの上下方向の接続部分の拡大断面図であって、（ａ）は内側へ折曲加工する前の状態を、（ｂ）は内側ヘ折曲加工した後の状態を示すものである。
【図７】同タンクに収容される袋体の概略断面図である。
【図８】同袋体の底部の斜視図である。
【図９】同袋体の合成樹脂フィルムの下端部の折り畳み状態を示す断面図である。
【図１０】（ａ）（ｂ）（ｃ）は同袋体の合成樹脂フィルムの下端部をディスク板に取付ける手順を説明する説明図である。
【図１１】同袋体のディスク板と取水管の接続部分を示す拡大断面図である。
【図１２】同袋体の合成樹脂フィルム上端部の取付状態を示す説明図である。
【図１３】立上がり管とそのカバー体を示す部分斜視図である。
【図１４】カバー体を外嵌着した立上がり管の断面図で、（ａ）は立上がり管の透明部をカバー体で覆った状態を、（ｂ）はカバー体を回動させて立上がり管の透明部を露出させた状態を示すものである。
【図１５】従来の組立タンクに使用される袋体の概略部分断面図である。
【図１６】従来の組立タンクに使用される袋体の取水口部材の取付状態を示す拡大部分断面図である。
【符号の説明】
１  コンクリート製の基礎
２  筒型コンテナー
２０，２１  壁エレメント
３  袋体
３ａ  筒状の合成樹脂フィルム
３ｂ  ディスク板
３ｃ  合成樹脂フィルムのギャザー状に折り畳まれて縮径された下端部
３ｄ  ゴムリング
３ｅ  帯鋼
３ｆ  接続口
４  蓋体
４ａ  被覆材
４ｂ  フレーム材
９  底部材
１１  導水パイプ
１２  取水管
１３  蛇口
１４  立上がり管
１４ａ  帯状の透明部
１５  オーバーフロー管
１６  カバー体
【図１】
0004183847.tif 000002
【図２】
0004183847.tif 000003
【図３】
0004183847.tif 000004
【図４】
0004183847.tif 000005
【図５】
0004183847.tif 000006
【図６】
0004183847.tif 000007
【図７】
0004183847.tif 000008
【図８】
0004183847.tif 000009
【図９】
0004183847.tif 000010
【図１０】
0004183847.tif 000011
【図１１】
0004183847.tif 000012
【図１２】
0004183847.tif 000013
【図１３】
0004183847.tif 000014
【図１４】
0004183847.tif 000015
【図１５】
0004183847.tif 000016
【図１６】
0004183847.tif 000017